(57)【要約】【課題】データ量の多い画像データを快適に再生可能とする。【解決手段】複数のコンテンツの各コンテンツに対応する画像データを画像表示装置に供給する画像データ供給装置１００であって、各コンテンツに対応する高圧縮画像データ及び低圧縮画像データが保存されている第１記憶装置１１０と、第１記憶装置１１０よりもデータアクセス速度が高速で第１記憶装置１１０よりも記憶容量の小さい第２記憶装置１２０と、各コンテンツのうちの特定コンテンツに対応する低圧縮画像データを第１記憶装置１１０から第２記憶装置１２０に複写する機能と、特定コンテンツを再生する際に、第２記憶装置１２０から当該特定コンテンツに対応する低圧縮画像データを読み出す機能とを有する画像データ制御装置１３０とを有する。【選択図】図２
2010220165.tif 000002
【特許請求の範囲】
【請求項１】
複数のコンテンツの各コンテンツに対応する画像データを画像表示装置に供給する画像データ供給装置であって、
前記各コンテンツに対応する高圧縮画像データ及び低圧縮画像データが保存されている第１記憶装置と、
前記第１記憶装置よりもデータアクセス速度が高速で前記第１記憶装置よりも記憶容量の小さい第２記憶装置と、
前記各コンテンツのうちの特定コンテンツに対応する低圧縮画像データを前記第１記憶装置から前記第２記憶装置に複写する機能と、前記特定コンテンツを再生する際に、前記第２記憶装置から当該特定コンテンツに対応する低圧縮画像データを読み出す機能とを有する画像データ制御装置と、
を有することを特徴とする画像データ供給装置。
【請求項２】
請求項１に記載の画像データ供給装置において、
再生スケジュールを記憶している再生スケジュール記憶部をさらに有し、
前記画像データ制御装置は、前記再生スケジュール記憶部から再生予定コンテンツを前記特定コンテンツとして取得する機能を有することを特徴とする画像データ供給装置。
【請求項３】
請求項１に記載の画像データ供給装置において、
前記複数のコンテンツの再生頻度を監視する再生頻度監視部をさらに有し、
前記画像データ制御装置は、前記再生頻度監視部により得られる再生頻度に基づき、再生頻度の高いコンテンツを前記特定コンテンツとして取得する機能とを有することを特徴とする画像データ供給装置。
【請求項４】
請求項１〜３のいずれかに記載の画像データ供給装置において、
前記画像データ制御装置は、前記特定コンテンツを再生する際には、当該特定コンテンツに対応する低圧縮画像データが前記第２記憶装置に保存されているか否かを調べ、当該低圧縮画像データが前記第２記憶装置に保存されている場合には、前記第２記憶装置から当該低圧縮画像データを読み出し、当該低圧縮画像データが前記第２記憶装置に保存されていない場合には、前記第１記憶装置から当該特定コンテンツに対応する高圧縮画像データを読み出すことを特徴とする画像データ供給装置。
【請求項５】
請求項１〜４のいずれかに記載の画像データ供給装置において、
前記画像データ制御装置は、前記特定コンテンツ以外のコンテンツを再生する際は、前記第１記憶装置から前記特定コンテンツ以外のコンテンツに対応する高圧縮画像データを読み出すことを特徴とする画像データ供給装置。
【請求項６】
請求項１〜５のいずれかに記載の画像データ供給装置において、
前記画像データ制御装置は、前記第２記憶装置に前記特定コンテンツ以外のコンテンツに対応する低圧縮画像データが保存されている場合には、当該前記特定コンテンツ以外のコンテンツに対応する低圧縮画像データを削除することを特徴とする画像データ供給装置。
【請求項７】
複数のコンテンツの各コンテンツに対応する高圧縮画像データ及び低圧縮画像データが保存されている第１記憶装置と、前記第１記憶装置よりもデータアクセス速度が高速で前記第１記憶装置よりも記憶容量の小さい第２記憶装置と、前記第１記憶装置及び第２記憶装置に対して画像データの書き込み及び読み出しを制御する機能を有する画像データ制御装置とを有する画像データ供給装置における前記画像データ制御装置であって、
前記各コンテンツのうちの特定コンテンツに対応する低圧縮画像データを前記第１記憶
装置から前記第２記憶装置に複写する機能と、前記特定コンテンツを再生する際に、前記第２記憶装置から当該特定コンテンツに対応する低圧縮画像データを読み出す機能とをさらに有することを特徴とする画像データ制御装置。
【請求項８】
画像表示装置と、複数のコンテンツの各コンテンツに対応する画像データを前記画像表示装置に供給する画像データ供給装置とを有する画像表示システムであって、
前記画像データ供給装置は、
前記各コンテンツに対応する高圧縮画像データ及び低圧縮画像データが保存されている第１記憶装置と、
前記第１記憶装置よりもデータアクセス速度が高速で前記第１記憶装置よりも記憶容量の小さい第２記憶装置と、
前記各コンテンツのうちの特定コンテンツに対応する低圧縮画像データを前記第１記憶装置から前記第２記憶装置に複写する機能と、前記特定コンテンツを再生する際に、前記第２記憶装置から当該特定コンテンツに対応する低圧縮画像データを読み出す機能とを有する画像データ制御装置と、
を有することを特徴とする画像表示システム。
【発明の詳細な説明】
【技術分野】
【０００１】
本発明は、画像データ供給装置、画像データ制御装置及び画像表示システムに関する。
【背景技術】
【０００２】
画像表示装置の表示解像度は年々増加し、大画面でかつ高精細な画像の表示が実現されつつある。特に、プロジェクターは、高解像度化が進み、デジタルシネマのような動画再生用の画像表示機器として今後、ますます使用されて行くものと考えられる。
【０００３】
このように、プロジェクターがデジタルシネマの分野において使用される場合には、プロジェクターそのものの高性能化は勿論、プロジェクターに画像データを供給する画像データ供給装置（画像サーバーと呼ぶことにする）にも高性能化が要求される。
【０００４】
すなわち、プロジェクターが高解像度、高処理能力であれば、投射するコンテンツのデータ量も大容量なものとなるため、画像サーバーの処理能力の向上が必須である。ここで、画像サーバーの処理能力は、例えば、画像データをプロジェクターで表示可能なデータに変換したり画像補正を行ったりするＣＰＵの演算能力よりも、コンテンツを保持するとともに、書き込み読み出しを行う記憶装置の性能に依存することが多い。
【０００５】
現在の記憶装置は、ＨＤＤ（ハードディスクドライブ）が一般的に使用されているが、ＳＳＤ（ソリッドステートドライブ）への移行も進んでいる。ＨＤＤの利点は、大容量であるが、データアクセス速度に課題があり、特に、書き込まれている位置によってアクセス速度が異なるという課題もある。これに対して、ＳＳＤはＨＤＤに比べてアクセス速度が大幅に速く、かつ、アクセス速度が記憶位置に左右されないといった利点があるが、記憶容量がＨＤＤに比べて少ないという課題がある。
【０００６】
一方、記憶容量を大容量とし、かつ、高速な書き込み及び読み出しを可能とするためにＲＡＩＤ（Redundant Arrays of Inexpensive Disks）を用いたディスクシステムがあり
、このＲＡＩＤを用いた技術は従来から様々提案されている（例えば、特許文献１参照及び特許文献２参照）。
【先行技術文献】
【特許文献】
【０００７】
【特許文献１】特開平９−１４９３５４号公報
【特許文献２】特開２００８−２９３２７６号公報
【発明の概要】
【発明が解決しようとする課題】
【０００８】
特許文献１に開示された技術は、画像を提供する側のビデオサーバにＲＡＩＤによるディスクシステムを用いることにより、画像データを画像表示装置に効率的に提供可能とするものであるが、構成が複雑となり、また、複雑なＲＡＩＤ制御を行う必要がある。このため、システムを構築するためのコストが増大するという問題がある。
【０００９】
一方、特許文献２に開示された技術は、ＨＤＤなどからなるメインユニット及びバックアップユニットの２系統の処理系統を有した構成としている。特許文献２に開示された技術は、メインユニットに回復不能なエラーなどが発生した場合には、バックアップユニットがそれを補うというものであり、ＨＤＤの持つアクセス速度に関する課題をバックアップユニットが補うというものではない。このため、例えば、特定の画像データに対して、
より高速な読み出しを行うといったことはできない。
【００１０】
そこで本発明は、データ量の多い画像データを快適に再生可能とする画像データ供給装置、画像データ制御装置及び画像表示システムを提供することを目的とする。
【課題を解決するための手段】
【００１１】
（１）本発明の画像データ供給装置は、複数のコンテンツの各コンテンツに対応する画像データを画像表示装置に供給する画像データ供給装置であって、前記各コンテンツに対応する高圧縮画像データ及び低圧縮画像データが保存されている第１記憶装置と、前記第１記憶装置よりもデータアクセス速度が高速で前記第１記憶装置よりも記憶容量の小さい第２記憶装置と、前記各コンテンツのうちの特定コンテンツに対応する低圧縮画像データを前記第１記憶装置から前記第２記憶装置に複写する機能と、前記特定コンテンツを再生する際に、前記第２記憶装置から当該特定コンテンツに対応する低圧縮画像データを読み出す機能とを有する画像データ制御装置とを有することを特徴とする。
【００１２】
画像データ供給装置をこのような構成とすることにより、特定コンテンツを再生する場合には、高速なデータアクセス速度を有する第２記憶装置から特定コンテンツに対応する低圧縮画像データデータを読み出すことができる。このため、特定コンテンツについては高品質な画像を快適に再生することができる。また、本発明においては、記憶装置としては、第１記憶装置と第２記憶装置とを設ければよいので、これら各記憶装置に対する制御を単純なものとすることができ、かつ、画像データ供給装置を安価に構築することができる。なお、第１記憶装置としてはＨＤＤを例示することができ、また、第２記憶装置としてはＳＳＤを例示することができる。
【００１３】
（２）本発明の画像データ供給装置においては、再生スケジュールを記憶している再生スケジュール記憶部をさらに有し、前記画像データ制御装置は、前記再生スケジュール記憶部から再生予定コンテンツを前記特定コンテンツとして取得する機能を有することが好ましい。
【００１４】
このように、再生スケジュール記憶部を有することにより、画像データ制御装置は、次回に再生すべきコンテンツ（再生予定コンテンツ）を取得することができる。そして、再生予定コンテンツを特定コンテンツとすることにより、第２記憶装置には再生予定コンテンツが保存されることとなる。したがって、再生予定コンテンツを再生する場合には、高速なデータアクセス速度を有する第２記憶装置から再生予定コンテンツに対応する低圧縮画像データを読み出すことができる。このため、再生予定コンテンツについては高品質な画像を快適に再生することができる。
【００１５】
（３）本発明の画像データ供給装置においては、前記複数のコンテンツの再生頻度を監視する再生頻度監視部をさらに有し、前記画像データ制御装置は、前記再生頻度監視部により得られる再生頻度に基づき、再生頻度の高いコンテンツを前記特定コンテンツとして取得する機能とを有することが好ましい。
【００１６】
このように、画像データの再生頻度を監視し、再生頻度の高いコンテンツを特定コンテンツとすることにより、第２記憶装置には再生頻度の高いコンテンツが保存されることとなる。したがって、再生頻度の高いコンテンツを再生する場合には、高速なデータアクセス速度を有する第２記憶装置から再生頻度の高いコンテンツに対応する低圧縮画像データを読み出すことができる。このため、再生頻度の高いコンテンツについては高品質な画像を快適に再生することができる。
【００１７】
（４）本発明の画像データ供給装置においては、前記画像データ制御装置は、前記特定
コンテンツを再生する際には、当該特定コンテンツに対応する低圧縮画像データが前記第２記憶装置に保存されているか否かを調べ、当該低圧縮画像データが前記第２記憶装置に保存されている場合には、前記第２記憶装置から当該低圧縮画像データを読み出し、当該低圧縮画像データが前記第２記憶装置に保存されていない場合には、前記第１記憶装置から当該特定コンテンツに対応する高圧縮画像データを読み出すことが好ましい。
【００１８】
このように、特定コンテンツを再生する場合には、まずは、第２記憶装置に当該特定コンテンツに対応する低圧縮画像データが保存されているか否かを調べ、保存されていれば、当該特定コンテンツに対応する低圧縮画像データを読み出すが、保存されていない場合には、第１記憶装置から当該特定コンテンツに対応する高圧縮画像データを読み出すという処理を行う。
【００１９】
これは、仮に、第１記憶装置から第２記憶装置への特定コンテンツの複写（コピー）が終了していなかった場合などにも対応可能とするためであり、この場合、第１記憶装置から当該特定コンテンツに対応する高圧縮率画像データを読み出すようにする。このような処理を行うことにより、第２記憶装置から低圧縮画像データが読み出せなかった場合にも当該コンテンツに対応する画像の表示を行うことができる。この場合、第１記憶装置からは高圧縮率画像データが読み出されるので、第２記憶装置に保存されている低圧縮画像データで表示を行う場合に比べて表示画像の品質は多少劣るが、再生不可となる事態は回避できる。
【００２０】
（５）本発明の画像データ供給装置においては、前記画像データ制御装置は、前記特定コンテンツ以外のコンテンツを再生する際は、前記第１記憶装置から前記特定コンテンツ以外のコンテンツに対応する高圧縮画像データを読み出すことが好ましい。
【００２１】
これは、例えば、再生スケジュールによって取得される再生予定コンテンツ（特定コンテンツ）または再生頻度の高いコンテンツ（特定コンテンツ）以外のコンテンツを再生しようとする場合にも対応可能とするものであり、この場合には、第１記憶装置から当該コンテンツに対応する高圧縮率画像データを読み出すようにする。これにより、予定外のコンテンツを急きょ再生するといった場合にも対応可能となる。なお、この場合は、第１記憶装置から当該コンテンツに対応する高圧縮率画像データが読み出されるので、低圧縮画像データで表示を行う場合に比べて表示画像の品質は多少劣るが、再生不可となる事態は回避できる。
【００２２】
（６）本発明の画像データ供給装置においては、前記画像データ制御装置は、前記第２記憶装置に前記特定コンテンツ以外のコンテンツに対応する低圧縮画像データが保存されている場合には、当該前記特定コンテンツ以外のコンテンツに対応する低圧縮画像データを削除することが好ましい。
【００２３】
これにより、第２記憶装置には、特定コンテンツに対応する低圧縮画像データのみを保存すればよいので、第２記憶装置の記憶容量の少なさを意識することなく特定コンテンツの低圧縮画像データをコピーすることができる。
【００２４】
（７）本発明の画像データ制御装置は、複数のコンテンツの各コンテンツに対応する高圧縮画像データ及び低圧縮画像データが保存されている第１記憶装置と、前記第１記憶装置よりもデータアクセス速度が高速で前記第１記憶装置よりも記憶容量の小さい第２記憶装置と、前記第１記憶装置及び第２記憶装置に対して画像データの書き込み及び読み出しを制御する機能を有する画像データ制御装置とを有する画像データ供給装置における前記画像データ制御装置であって、前記各コンテンツのうちの特定コンテンツに対応する低圧縮画像データを前記第１記憶装置から前記第２記憶装置に複写する機能と、前記特定コン
テンツを再生する際に、前記第２記憶装置から当該特定コンテンツに対応する低圧縮画像データを読み出す機能とをさらに有することを特徴とする。
【００２５】
このような機能を有する画像データ制御装置を画像データ供給装置に設けることによって、前記本発明の画像データ供給装置を構築することができる。なお、本発明の画像データ制御装置においても、本発明の画像データ供給装置が有する各特徴を有することが好ましい。
【００２６】
（８）本発明の画像表示システムは、画像表示装置と、複数のコンテンツの各コンテンツに対応する画像データを前記画像表示装置に供給する画像データ供給装置とを有する画像表示システムであって、前記画像データ供給装置は、前記各コンテンツに対応する高圧縮画像データ及び低圧縮画像データが保存されている第１記憶装置と、前記第１記憶装置よりもデータアクセス速度が高速で前記第１記憶装置よりも記憶容量の小さい第２記憶装置と、前記各コンテンツのうちの特定コンテンツに対応する低圧縮画像データを前記第１記憶装置から前記第２記憶装置に複写する機能と、前記特定コンテンツを再生する際に、前記第２記憶装置から当該特定コンテンツに対応する低圧縮画像データを読み出す機能とを有する画像データ制御装置とを有することを特徴とする。
【００２７】
本発明の画像表示システムによれば、特定コンテンツを再生する場合には、高速なデータアクセス速度を有する第２記憶装置から特定コンテンツに対応する低圧縮画像データを読み出すことができる。このため、特定コンテンツについては高品質な画像を快適に再生することができる。なお、画像表示装置としては、プロジェクターであってもよく、また、直視型の画像表示装置であってもよい。また、本発明の画像表示システムにおいても、前記本発明の画像データ供給装置が有する各特徴を有することが好ましい。
【図面の簡単な説明】
【００２８】
【図１】実施形態に係る画像表示システムの構成を示す図。
【図２】画像データ供給装置１００の構成を示す図。
【図３】低速・大容量記憶装置１１０に保存されている低圧縮画像データを高速・小容量記憶装置１２０にコピーする処理について説明するフローチャート。
【図４】低圧縮画像データを高速・小容量記憶装置１２０にコピーする処理の具体例を説明する図。
【図５】コンテンツの再生処理を説明するフローチャート。
【図６】コンテンツ再生処理の第１具体例を説明する図。
【図７】コンテンツ再生処理の第２具体例を説明する図。
【発明を実施するための形態】
【００２９】
以下、本発明の実施形態について説明する。なお、本発明の実施形態においては、画像表示装置としてプロジェクターを用いた場合について説明する。
【００３０】
図１は実施形態に係る画像表示システムの構成を示す図である。実施形態に係る画像表示システムは、図１に示すように、画像サーバーとして機能を有する画像データ供給装置１００と、画像データ供給装置１００から供給される画像データをスクリーンＳＣＲに表示するプロジェクター２００とを有する。
【００３１】
図２は画像データ供給装置１００の構成を示す図である。画像データ供給装置１００は、図２に示すように、データアクセス速度は低速であるが記憶容量の大きい第１記憶装置（低速・大容量記憶装置という）１１０と、第１記憶装置１１０よりもデータアクセス速度が高速で第１記憶装置１１０よりも記憶容量の小さい第２記憶装置（高速・小容量記憶装置という）１２０と、これら低速・大容量記憶装置１１０及び高速・小容量記憶装置１
２０に対して画像データの書き込み／読み出しを制御する画像データ制御装置１３０と、ユーザーによって設定されたコンテンツの再生スケジュール（図４参照）を記憶する再生スケジュール記憶部１４０と、プロジェクター２００で表示可能なコンテンツのタイトル（コンテンツ名という）をコンテンツリストとして記憶するコンテンツリスト記憶部１５０と、コンテンツリスト記憶部１５０に記憶されているコンテンツリストの中から、表示すべきコンテンツをユーザーが選択可能なコンテンツ選択部１６０とを有している。
【００３２】
なお、実施形態に係る画像表示システムにおいては、低速・大容量記憶装置１１０にはＨＤＤを使用し、高速・小容量記憶装置１２０にはＳＳＤを使用するものとする。また、低速・大容量記憶装置１１０には、「Ｍｏｖｉｅ１」、「Ｍｏｖｉｅ２」、・・・というような複数のコンテンツが保存されており、各コンテンツに対応する画像データとして、高い圧縮率の画像データ（高圧縮画像データという）と低い圧縮率の画像データ（低圧縮画像データという）の２種類の画像データが各コンテンツごとに保存されているものとする。
【００３３】
例えば、「Ｍｏｖｉｅ１」及び「Ｍｏｖｉｅ２」について説明すると、「Ｍｏｖｉｅ１」については、高圧縮画像データ（要求される読み出し速度が１００Ｍｂｐｓであって合計のデータ容量が１００ＧＢとする）と、低圧縮画像データ（要求される読み出し速度が８００Ｍｂｐｓで合計のデータ量が８００ＧＢとする）とが保存されている（図４参照）。また、「Ｍｏｖｉｅ２」についても同様に、高圧縮画像データ（要求される読み出し速度が１００Ｍｂｐｓであって合計のデータ量が８００ＧＢとする）と、低圧縮画像データ（要求される読み出し速度が８００Ｍｂｐｓで合計のデータ量が６４０ＧＢとする）とが保存されている（図４参照）。なお、同じコンテンツである場合、低圧縮画像データによる表示画像は、高圧縮画像データによる表示画像に比べて、より高品質な表示画像となる。
【００３４】
また、低速・大容量記憶装置１１０のアクセス速度は２００Ｍｂｐｓ（２５ＭＢ／ｓｅｃ）であり、記憶容量は４０００ＧＢであるとする。一方、高速・小容量記憶装置１２０のアクセス速度は２０００Ｍｂｐｓ（２５０ＭＢ／ｓｅｃ）、記憶容量は１０００ＧＢであるとする。
【００３５】
このため、例えば「Ｍｏｖｉｅ１」または「Ｍｏｖｉｅ２」のいずれかのコンテンツを再生しようとする場合、これら各コンテンツに対応する高圧縮画像データを読み出す際の読み出し速度は不足しないが、これら各コンテンツに対応する低圧縮画像データを読み出す際の読み出し速度は不足する。したがって、コンテンツ再生を行う際に、低速・大容量記憶装置１１０から画像データの読み出しを行う必要のある場合には、各コンテンツに対応する高圧縮画像データを読み出すものとする。
【００３６】
画像データ制御装置１３０は、定期的に再生スケジュール記憶部１４０を参照して、次回に再生すべきコンテンツ（再生予定コンテンツという）のコンテンツ名を取得する再生予定コンテンツ名取得部１３１と、再生予定コンテンツ名に対応する低圧縮画像データを低速・大容量記憶装置１１０から高速・小容量記憶装置１２０に複写（コピーという）する低圧縮画像データ複写部１３２とを有する。
【００３７】
画像データ制御装置１３０が、再生予定コンテンツ名取得部１３１と、低圧縮画像データ複写部１３２とを有することによって、再生予定コンテンツ名に対応する低圧縮画像データを低速・大容量記憶装置１１０から高速・小容量記憶装置１２０に予めコピーしておくことができる。
【００３８】
例えば、再生予定コンテンツ名取得部１３１が再生スケジュール記憶部１４０に記録さ
れている再生スケジュール（図４参照）を参照した結果、再生予定コンテンツ名が「Ｍｏｖｉｅ１」であったとすると、低圧縮画像データ複写部１３２は、「Ｍｏｖｉｅ１」に対応する低圧縮画像データを低速・大容量記憶装置１１０から高速・小容量記憶装置１２０にコピーする。なお、低圧縮画像データの高速・小容量記憶装置１２０へのコピーは、例えば画像表示システムの非運用時に行っておくことが好ましい。
【００３９】
このように、実施形態に係る画像表示システムにおいては、再生スケジュール記憶部１４０から取得された再生予定コンテンツ名に対応するコンテンツを特定コンテンツとし、当該特定コンテンツに対応する低圧縮画像データを低速・大容量記憶装置１１０から高速・小容量記憶装置１２０に予めコピーしておくという処理が行われる。
【００４０】
また、画像データ制御装置１３０は、再生制御部１３３（機能については後述する）と、再生制御部１３３からの読み出し指示情報を受けて、低速・大容量記憶装置１１０または高速・小容量記憶装置１２０から画像データを読み出す画像データ読み出し部１３４と、画像データ読み出し部１３４で読み出された画像データを画像処理することによってプロジェクター２００で表示可能な画像データを生成する画像データ生成部１３５と、画像データ生成部１３５で生成された画像データをプロジェクター２００に送信する画像データ送信部１３６とを有している。
【００４１】
再生制御部１３３は、ユーザーによって選択されたコンテンツのコンテンツ名を取得する機能と、取得したコンテンツ名に対応する低圧縮画像データが高速・小容量記憶装置１２０に保存されているか否かを判定し、当該コンテンツ名に対応する低圧縮画像データが高速・小容量記憶装置１２０に保存されていない場合には、当該コンテンツ名に対応する高圧縮画像データが低速・大容量記憶装置１１０に保存されているか否かを判定する機能と、これら判定結果に基づく読み出し指示情報を画像データ読み出し部１３４に与える機能とを有している。
【００４２】
なお、再生制御部１３３が画像データ読み出し部１３４に与える読み出し指示情報は、取得したコンテンツ名に対応する低圧縮画像データが高速・小容量記憶装置１２０に保存されていると判定した場合には、高速・小容量記憶装置１２０から当該コンテンツ名に対応する低圧縮画像データを読み出すことを指示する情報である。また、当該コンテンツ名に対応する低圧縮画像データが高速・小容量記憶装置１２０に保存されていないと判定した場合には、低速・大容量記憶装置１１０から当該コンテンツ名に対応する高圧縮画像データを読み出すことを指示する情報である。
【００４３】
図３は低速・大容量記憶装置１１０に保存されている低圧縮画像データを高速・小容量記憶装置１２０にコピーする処理について説明するフローチャートである。図３のフローチャート及び図２の構成図を用いて低圧縮画像データを高速・小容量記憶装置１２０にコピーする処理について説明する。
【００４４】
まず、再生予定コンテンツ名取得部１３１が再生スケジュール記憶部１４０から再生予定コンテンツ名を取得する（ステップＳ１）。これにより、低圧縮画像データ複写部１３２は、再生予定コンテンツ名取得部１３１によって取得された再生予定コンテンツ名に対応する低圧縮画像データ（再生予定低圧縮画像データという）が低速・大容量記憶装置１１０に保存されているか否かを判定する（ステップＳ２）。再生予定低圧縮画像データが低速・大容量記憶装置１１０に保存されていなければ（ステップＳ２において「Ｎｏ」）、コピー不可であるので処理を終了する。
【００４５】
一方、当該再生予定低圧縮画像データが低速・大容量記憶装置１１０に保存されていれば（ステップＳ２において「Ｙｅｓ」）、当該再生予定低圧縮画像データが高速・小容量
記憶装置１２０に既に保存されているか否かを判定し（ステップＳ３）、当該再生予定低圧縮画像データが既に保存されていれば（ステップＳ３において「Ｙｅｓ」）、コピーの必要はないので処理を終了する。
【００４６】
また、当該再生予定低圧縮画像データが高速・小容量記憶装置１２０に保存されていなければ（ステップＳ３において「Ｎｏ」）、当該再生予定コンテンツとは異なるコンテンツ（他のコンテンツという）に対応する低圧縮画像データが保存されているか否かを判定する（ステップＳ４）。この判定の結果、他のコンテンツに対応する低圧縮画像データが保存されていなければ（ステップＳ４において「Ｎｏ」）、当該再生予定低圧縮画像データを高速・小容量記憶装置１２０にコピーする（ステップＳ５）。一方、他のコンテンツに対応する低圧縮画像データが保存されていれば（ステップＳ４において「Ｙｅｓ」）、他のコンテンツに対応する低圧縮画像データを削除して（ステップＳ６）、当該再生予定低圧縮画像データを高速・小容量記憶装置１２０にコピーする（ステップＳ５）。
【００４７】
なお、他のコンテンツに対応する低圧縮画像データを削除する処理（ステップＳ６）を行うに先立って、高速・小容量記憶装置１２０の記憶容量に不足が生じるか否かを判定して、高速・小容量記憶装置１２０の記憶容量に不足が生じる場合のみに、他のコンテンツに対応する低圧縮画像データを削除する処理（ステップＳ６）を行うようにしてもよい。
【００４８】
図４は低圧縮画像データを高速・小容量記憶装置１２０にコピーする処理の具体例を説明する図である。なお、図４に示す処理は、図３のフローチャートに沿って行われるものであるが、図４においては、図３のフローチャートにおける各種の判断処理などは省略されている。
【００４９】
図４において、再生予定コンテンツ名取得部１３１は、再生スケジュール記憶部１４０を参照し、再生予定コンテンツ名を取得する。この場合、再生スケジュール記憶部１４０からは、再生予定コンテンツ名として「Ｍｏｖｉｅ１」が取得されたとする。これにより、低圧縮画像データ複写部１３２は、低速・大容量記憶装置１１０から「Ｍｏｖｉｅ１」に対応する低圧縮画像データを高速・小容量記憶装置１２０にコピーする。このようにして、「Ｍｏｖｉｅ１」の低圧縮画像データが高速・小容量記憶装置１２０にコピーされる。
【００５０】
図５はコンテンツの再生処理を説明するフローチャートである。図５のフローチャート及び図２の構成図を用いてコンテンツの再生処理について説明する。まず、ユーザーによって再生すべきコンテンツがコンテンツ選択部１６０によって選択されると、再生制御部１３３は、当該選択されたコンテンツのコンテンツ名を取得し（ステップＳ１１）、取得したコンテンツ名に対応する低圧縮画像データが高速・小容量記憶装置１２０に保存されているか否かを判定する（ステップＳ１２）。
【００５１】
この判定の結果、選択されたコンテンツ名に対応する低圧縮画像データが高速・小容量記憶装置１２０に保存されていれば（ステップＳ１２において「Ｙｅｓ」）、高速・小容量記憶装置１２０から当該コンテンツ名に対応する低圧縮画像データを読み出すことを指示する情報を画像データ読み出し部１３４に出力する。これにより、画像データ読み出し部１３４は、高速・小容量記憶装置１２０から当該コンテンツ名に対応する圧縮画像データを読み出す（ステップＳ１３）。
【００５２】
一方、選択されたコンテンツに対応する低圧縮画像データが高速・小容量記憶装置１２０に保存されていなければ（ステップＳ１２において「Ｎｏ」）、再生制御部１３３は、取得したコンテンツ名に対応する高圧縮画像データが低速・大容量記憶装置１１０に保存されているか否かを判定する（ステップＳ１４）。
【００５３】
この判定の結果、当該高圧縮画像データが低速・大容量記憶装置１１０に保存されていれば（ステップＳ１４において「Ｙｅｓ」）、低速・大容量記憶装置１１０から当該コンテンツ名に対応する高圧縮画像データを読み出すことを指示する情報を画像データ読み出し部１３４に出力する。これにより、画像データ読み出し部１３４は、低速・大容量記憶装置１１０から当該コンテンツ名に対応する高圧縮画像データを読み出す（ステップＳ１５）。なお、再生予定コンテンツに対応する高圧縮画像データが低速・大容量記憶装置１１０に保存されていなければ（ステップＳ１４において「Ｎｏ」）、再生すべきコンテンツは存在しないとして処理を終了する。
【００５４】
なお、図５の処理においては、取得したコンテンツ名に対応する低圧縮画像データが高速・小容量記憶装置１２０に保存されているか否かを判定し（ステップＳ１２）、当該コンテンツ名に対応する低圧縮画像データが高速・小容量記憶装置１２０に保存されていない場合には、当該コンテンツ名に対応する高圧縮画像データが低速・大容量記憶装置１１０に保存されているか否かを判定するようにしたが、高速・小容量記憶装置１２０に保存されていないことが始めから判っているコンテンツ（例えば、再生予定コンテンツ以外のコンテンツなど）に対しては、ステップＳ１２の処理を省略して、直接、低速・大容量記憶装置１１０に当該コンテンツに対応する高圧縮画像データが保存されているか否かを判定する処理（ステップＳ１４）を行うようにしてもよい。
【００５５】
図６はコンテンツ再生処理の第１具体例を説明する図である。なお、図６はユーザーによってコンテンツ「Ｍｏｖｉｅ１」が選択された場合の再生処理（「Ｍｏｖｉｅ１」のコンテンツ再生処理）について説明する図である。なお、図６に示す処理は、図５のフローチャートに沿って行われるものであるが、図６においては、処理手順は簡略化されて示されている。
【００５６】
図６に示すように、再生制御部１３３は、まず、コンテンツ名「Ｍｏｖｉｅ１」の低圧縮画像データが高速・小容量記憶装置１２０に保存されているか否かを判定する。この場合、コンテンツ名「Ｍｏｖｉｅ１」は、再生スケジュール記憶部１４０に記憶されている再生予定コンテンツ名であり、当該再生予定コンテンツ名「Ｍｏｖｉｅ１」に対応する低圧縮画像データは、高速・小容量記憶装置１２０に予めコピーされている。このため、当該コンテンツ名に対応する低圧縮画像データは高速・小容量記憶装置１２０に保存されていると判定する（図６において「Ｙｅｓ」）。
【００５７】
これにより、再生制御部１３３は、当該コンテンツ名に対応する低圧縮画像データの読み出しを指示する読み出し指示情報を画像データ読み出し部１３４に出力する。画像データ読み出し部１３４は、再生制御部１３３からの読み出し指示情報に基づき、高速・小容量記憶装置１２０から「Ｍｏｖｉｅ１」の低圧縮画像データを読み出して、当該低圧縮画像データを画像データ生成部１３５に出力する。
【００５８】
なお、図６においては、「Ｍｏｖｉｅ１」の低圧縮画像データが高速・小容量記憶装置１２０に予めコピーされている例であったが、例えば、「Ｍｏｖｉｅ１」の低圧縮画像データの読み出し時点において、当該「Ｍｏｖｉｅ１」の低圧縮画像データが高速・小容量記憶装置１２０にコピーされていない場合もあり得る。このような場合は、高速・小容量記憶装置１２０から「Ｍｏｖｉｅ１」の低圧縮画像データを読み出すことができない。
【００５９】
このように、本来は、高速・小容量記憶装置１２０に保存されているべき低圧縮画像データが何らかの要因で保存されていない場合もあり、このような場合には、図６における破線の矢印で示す処理がなされる。
【００６０】
すなわち、「Ｍｏｖｉｅ１」に対応する低圧縮画像データが高速・小容量記憶装置１２０に保存されていないと判定すると（図６において「Ｎｏ」）、再生制御部１３３は、「Ｍｏｖｉｅ１」に対応する高圧縮画像データが低速・大容量記憶装置１１０に保存されているか否かを判定する。この場合、低速・大容量記憶装置１１０には、「Ｍｏｖｉｅ１」に対応する高圧縮画像データが保存されていると判定する（図６において「Ｙｅｓ」）。
【００６１】
これにより、再生制御部１３３は、当該コンテンツ名に対応する高圧縮画像データの読み出しを指示する読み出し指示情報を画像データ読み出し部１３４に出力する。画像データ読み出し部１３４は、再生制御部１３３からの読み出し指示情報に基づき、低速・大容量記憶装置１１０から「Ｍｏｖｉｅ１」の高圧縮画像データを読み出して、当該高圧縮画像データを画像データ生成部１３５に出力する。
【００６２】
図６に示すような処理を行うことにより、再生スケジュール記憶部１４０に記憶されている再生予定コンテンツを再生する場合、当該再生予定コンテンツに対応する低圧縮画像データが高速・小容量記憶装置１２０に予めコピーされていれば、当該再生予定コンテンツに対応する低圧縮画像データを読み出して再生することができる。
【００６３】
一方、何らかの要因で、当該再生予定コンテンツに対応する低圧縮画像データを高速・小容量記憶装置１２０から読み出すことができなかった場合には、低速・大容量記憶装置１１０から当該再生予定コンテンツに対応する高圧縮画像データを読み出して再生する。この場合、当該再生予定コンテンツは、高圧縮画像データによる表示がなされるので、低圧縮画像データによる表示に比べると、表示画像の品質は多少劣るが、再生不可となる事態は回避できる。
【００６４】
図７はコンテンツ再生処理の第２具体例を説明する図である。なお、図７はユーザーによってコンテンツ「Ｍｏｖｉｅ２」が選択された場合の再生処理（「Ｍｏｖｉｅ２」のコンテンツ再生処理）について説明する図である。なお、図７に示す処理も図６と同様、図５のフローチャートに沿って行われるものであるが、図７においても処理手順は簡略化されて示されている。
【００６５】
図７に示すように、再生制御部１３３は、まず、コンテンツ「Ｍｏｖｉｅ２」の低圧縮画像データが高速・小容量記憶装置１２０に保存されているか否かを判定する。この場合、高速・小容量記憶装置１２０には、「Ｍｏｖｉｅ２」に対応する低圧縮画像データがコピーされていないので、「Ｍｏｖｉｅ２」の低圧縮画像データは高速・小容量記憶装置１２０に保存されていないと判定する（図７において「Ｎｏ」）。このため、再生制御部１３３は、「Ｍｏｖｉｅ２」の高圧縮画像データが低速・大容量記憶装置１１０に保存されているか否かを判定する。この場合、低速・大容量記憶装置１１０には、「Ｍｏｖｉｅ２」の高圧縮画像データが保存されていると判定する（図７において「Ｙｅｓ」）。
【００６６】
これにより、再生制御部１３３は、当該コンテンツ名に対応する高圧縮画像データの読み出しを指示する読み出し指示情報を画像データ読み出し部１３４に出力する。画像データ読み出し部１３４は、再生制御部１３３からの読み出し指示情報に基づき、「Ｍｏｖｉｅ２」に対応する高圧縮画像データを読み出して、当該高圧縮画像データを画像データ生成部１３５に出力する。
【００６７】
図７の処理は、再生スケジュール記憶部１４０に記憶されている再生予定コンテンツの再生を行おうとしていたものを、予定を急きょ変更して、再生予定コンテンツ以外のコンテンツの再生を行う場合などを想定したものであり、このような場合にも、図７に示すような処理を行うことにより、再生予定コンテンツ以外のコンテンツに対応する画像データを読み出すことができる。
【００６８】
この場合、高速・小容量記憶装置１２０には、当該コンテンツ（再生予定コンテンツ以外のコンテンツ）の低圧縮画像データがコピーされていないので、低速・大容量記憶装置１１０から当該コンテンツの高圧縮画像データを読み出すこととなる。このように、再生予定コンテンツ以外のコンテンツの再生を行う場合には、当該コンテンツに対応する高圧縮画像データによる画像表示がなされるため、表示画像の品質は多少劣るものとなるが再生不可となる事態は回避できる。
【００６９】
なお、本発明は上記した実施形態に限られるものではなく、本発明の要旨を逸脱しない範囲で種々変形実施可能となるものである。例えば、下記（１）〜（５）に示すような変形実施も可能である。
【００７０】
（１）上記した実施形態においては、再生スケジュール記憶部１４０から取得した再生予定コンテンツ名に対応するコンテンツを特定コンテンツとして、当該特定コンテンツに対応する低圧縮画像データを高速・小容量記憶装置１２０に予めコピーしておくようにしたが、特定コンテンツは、再生予定コンテンツであることに限られるものではない。
【００７１】
例えば、プロジェクター２００で過去に表示したコンテンツの再生頻度を監視する再生頻度監視部（図示せず）を画像データ供給装置１００に設け、画像データ制御装置１３０は、再生頻度監視部による再生頻度に基づき、再生頻度の高いコンテンツを特定コンテンツとして取得し、取得した再生頻度の高いコンテンツ（特定コンテンツ）の低圧縮画像データを高速・小容量記憶装置１２０に予めコピーしておくようにしてもよい。これによれば、再生頻度の高いコンテンツに対しては、当該コンテンツに対応する低圧縮画像データを高速・小容量記憶装置１２０から読み出すことができ、表示画像を高品質なものとすることができる。
【００７２】
（２）上記した実施形態では、コンテンツリスト記憶部１５０及びコンテンツ選択部１６０は、画像データ供給装置１００の構成要素として説明したが、コンテンツリスト記憶部１５０及びコンテンツ選択部１６０は、画像データ供給装置１００とは別の構成要素であってもよい。
【００７３】
（３）上記した実施形態では、表示すべきコンテンツをユーザーが選択することによって、再生処理を行うようにしたが、画像データ制御装置１３０が再生スケジュール記憶部１４０に記憶されている再生スケジュールに沿って、図５に示すコンテンツ再生処理を自動的に行うようにしてもよい。
【００７４】
（４）上記した実施形態においては、画像表示装置としてはプロジェクターを用いた場合を例示したが、画像表示装置はプロジェクターに限られるものではなく、直視型の画像表示装置であってよい。
【００７５】
（５）上記した実施形態においては、低速・大容量記憶装置１１０はＨＤＤであるとし、高速・小容量記憶装置１２０はＳＳＤであるとしたが、これに限られるものではなく、それぞれの要件を満たす他の記憶装置であってもよい。
【符号の説明】
【００７６】
１００・・・画像データ供給装置、１１０・・・低速・大容量記憶装置（第１記憶装置）、１２０・・・高速・小容量記憶装置（第２記憶装置）、１３０・・・画像データ供給装置、１３１・・・再生予定コンテンツ名取得部、１３２・・・低圧縮画像データ複写部、１３３・・・再生制御部、１３４・・・画像データ読み出し部、１４０・・・再生スケジュール記憶部、１５０・・・コンテンツリスト記憶部、１６０・・・コンテンツ選択部
、２００・・・プロジェクター
【図２】
2010220165.tif 000003
【図３】
2010220165.tif 000004
【図４】
2010220165.tif 000005
【図５】
2010220165.tif 000006
【図６】
2010220165.tif 000007
【図７】
2010220165.tif 000008
【図１】
2010220165.tif 000009